(57)【要約】
【課題】  ハンガー掛けのさい、首部を片手で持ち肩受けアームの左右両方を同時に拡大・縮小させて衣類の首部から挿入及び取出しを容易に行うことができ、しかも衣類のサイズに合わせて肩受けアームの長さを適宜調整して、簡便且つ迅速に作業が行える衣類用ハンガーを市販に提供する
【解決手段】  合成樹脂製で対向する弧状の挟持部による頭部が形成された首部と、肩受けアームとからなり、首部は鋼製弾性体を使用し手に持つ把持動作で拡大と縮小を可能にする把手を構成し、一方肩受けアームはＵ字管の一対をその開放部が水平となるように対向させ、その一端は上記把手の下端に揺動可能に止着させると共に、他端は対向する双方の片側が他側へ向かってスライドするように嵌入させ、上記把手の把持作用で水平方向の長さ寸法が拡大したり、縮小する伸縮動作可能の構成となしたことを特徴とする。
【選択図】      図２
0003101040.tif 000002
【実用新案登録請求の範囲】
【請求項１】
合成樹脂製で対向する弧状の挟持部による頭部が形成された首部と、肩受けアームとからなり、首部は鋼製弾性体を使用し手に持つ把持動作で拡大と縮小を可能にする把手を構成し、一方肩受けアームはＵ字管の一対をその開放部が水平となるように対向させ、その一端は上記把手の下端に揺動可能に止着させると共に、他端は対向する双方の片側が他側へ向かってスライドするように嵌入させ、上記把手の把持作用で水平方向の長さ寸法が拡大したり、縮小する伸縮動作可能の構成となしたことを特徴とする衣類用ハンガー。
【請求項２】
上記伸縮動作は凡そ３０ｃｍ、４０ｃｍ、５０ｃｍ程度の箇所で一時係止可能の構成となしてあることを特徴とした請求項１記載の衣類用ハンガー。
【考案の詳細な説明】
【技術分野】
【０００１】
本考案は、ハンガーの肩受けアーム部を伸縮可能となした衣類用ハンガーに関する。
【背景技術】
【０００２】
従来、使用される衣類用ハンガーは図１に示すものが一般的である。
一方、肩受けアーム部を伸縮可能とした衣類ハンガーに関するものとして、実開平６−７５２７９号公報や実開昭６２−８５２７６号公報で示されるように、ハンガーの二分された左右肩受けアームを嵌合させて、手作業により肩受けアームを片方ずつスライドさせて衣類の肩幅サイズに合うよう長さを調節するものは公知である。
【特許文献１】実開平６−７５２７９号
【特許文献２】実開昭６２−８５２７６号
【考案の開示】
【考案が解決しようとする課題】
【０００３】
上記特許文献１及び特許文献２に示される衣類用ハンガーは、ハンガー掛けのさい、衣類の首部から挿入させたり、または胴部から挿入させたのち、適宜衣類の肩幅に合わせてアームの長さを手作業により調節するものである。
【０００４】
上記した考案のハンガーは、その長さ調整に於いて肩受けアームを両手で持ち夫々れ片方ずつ調整を行わなければならず、また肩受けアームアームが長い状態でのハンガー掛け作業は、従来市販されているハンガーの如く衣類を上下逆さにしてハンガーを挿入するなど手間の掛かるものとなっていた。
【０００５】
本考案は上記問題を解決するためにハンガー掛けのさい、首部を片手で持ち肩受けアームの左右両方を同時に拡大・縮小させて衣類の首部から挿入及び取出しを容易に行うことができ、しかも衣類のサイズに合わせて肩受けアームの長さを適宜調整して、簡便且つ迅速に作業が行える衣類用ハンガーを市販に提供するのである。
【課題を解決するための手段】
【０００６】
合成樹脂製で対向する弧状の挟持部による頭部が形成された首部と、肩受けアームとからなり、首部は鋼製弾性体を使用し手に持つ把持動作で拡大と縮小を可能にする把手を構成し、一方肩受けアームはＵ字管の一対をその開放部が水平となるように対向させ、その一端は上記把手の下端に揺動可能に止着させると共に、他端は対向する双方の片側が他側へ向かってスライドするように嵌入させ、上記把手の把持作用で水平方向の長さ寸法が拡大したり、縮小する伸縮動作可能の構成となしたことを特徴とする。このさい、肩受けアームの伸縮動作は、凡そ３０ｃｍ、４０ｃｍ、５０ｃｍ程度の箇所で一時係止可能の構成となすものである。
【考案の効果】
【０００７】
本考案品は以上の通り構成するものであって、一般に使用されるハンガーの如く衣類を逆さにし胴部からハンガーを挿入するなど手間の掛かる作業を行うことなく、片手で左右肩受けアームを同時に拡大・縮小させて首部から挿入及び取出すことにより衣類への装着が容易に行うことが可能となり、また衣類のサイズに合わせて肩受けアームの長さを適宜調整できることから、簡便且つ迅速にハンガー掛け作業が行える上で著効がある。
【考案を実施するための最良の形態】
【０００８】
本考案を実施するための最良の形態を、以下図面により説明する。
図２は本考案に係る合成樹脂製の衣類用ハンガー１であって、把手と肩受けアームとからなる。ここに把手は対向する１対の弧状の挟持部、１ａ，１ａにより形成された首部からなり、また肩受けアームは１対のＵ字管１ｃ，１ｃをその開放側が水平となるように対向させるものとなすのであって、組立構成は次の如くなされる。
【０００９】
図３はハンガー１本体の断面図であって、ｆは首部１ｂ内に支軸ｓを介して取付けられた鋼製弾性体であり、該鋼製弾性体ｆの弾性力により首部１ｂを手に持つ把手動作で拡大と縮小を可能にする把手が構成される。肩受けアーム１ｃ，１ｃの一端は首部１ｂ，１ｂの各下端に支軸ピンｐで揺動可能に止着し、他端は対向する双方の片側が他側へ向かってスライドするように嵌入させるのであり、本例では右側先端部に一定長のスライド棒体１ｃ’を取付け、該スライド棒体１ｃ’が嵌入されるものとなされる。ｈ１，ｈ２，ｈ３は対向する肩受けアーム１ｃ（図では左部）内に穿設された切り欠け溝であり、上記スライド棒体１ｃ’がスライドするさい一時係止させるためのものである。
【００１０】
図４は、ハンガー１の伸縮動作を示す状態図である。図４に示す如く首部１ｂ，１ｂを矢印方向に把手すると、挟持部１ａ，１ａが拡開し首部１ｂが下方に閉塞されると同時に対向する肩受けアーム１ｃの片側スライド棒体１ｃ’が他側に向かってスライドしながら嵌入し、水平部の長さ寸法が収縮するのである。このさい、肩受けアーム１ｃの幅寸法は、スライド棒体１ｃ’が次述する如く切り欠け溝ｈ１，ｈ２，ｈ３の穿設位置で係止されることにより、凡そ３０ｃｍ、４０ｃｍ、５０ｃｍ程度になされるのである。
【００１１】
図５は、肩受けアーム１ｃの下辺部に於ける部分破断斜視図である。
図５に示す如く、スライド棒体１ｃ’は肩受けアーム１ｃ（図では左側部）内の２つのレールＬ，Ｒ上をスライドさせられるのであり、肩受けアームが縮小するさい切り欠け溝ｈ１，ｈ２，ｈ３のレールＲ側を通過するのであって、スライド棒体１ｃ’先端部が切り欠け溝ｈ１，ｈ２，ｈ３に引っ掛かる状態で係止される。この時肩受けアーム１ｃの外径幅寸法は、切り欠け溝ｈ１での係止位置では凡そ５０ｃｍ、ｈ２では４０ｃｍ、ｈ３では３０ｃｍ程度となる。
これに対し、肩受けアーム１ｃが拡大するさいはレールＲ側を通過してＬ側へ戻され、スライド棒体１ｃ’がｈ１で係止されることにより行われる。なお、ｇ１，ｇ２，ｇ３は上記スライド棒体１ｃ’のレールＲ，Ｌに対するスライド変更動作が円滑に行われるようにするためのガイド体である。
【００１２】
図６は、図５に於けるスライド棒体１ｃ’の伸縮動作の部分断面説明図である。図６Ａは肩受けアーム１ｃの１ｃ間の寸法長を縮小させるべくスライド棒体１ｃ’をスライドさせる状態の説明図である。図に示す如くスライド棒体１ｃ’がレールＲ側を矢印の左方向に通過し、該スライド棒体１ｃ’の先端が切り欠け溝ｈ１から外されてスライドし、ｈ２、ｈ３の位置で順次で一時係止されるものとなる。
図６Ｂは肩受けアーム１ｃが縮小から拡大へ変わる状態の説明図であって、図に示す如く切り欠け溝ｈ３を通過したスライド棒体体１ｃ’は、ガイド体ｇ１によりレールＬ側に移動したのち、逆方向（図では右）に向かって進行するものとなる。
図６Ｃは上記伸縮動作後にスライド棒体１ｃ’が元の切り欠け溝ｈ１の位置に戻って係止される状態を示すものである。
【００１３】
図７、図８は本考案に係るハンガー１の使用状態図であり、図７に示す如く片手で首部１ｂを把手して衣類Ｔの首孔部よりハンガー１を挿入させたのち、把手動作を開放することにより肩受けアーム１ｃが横矢印方向に拡大させたり、図８に示す如く衣類Ｔのサイズにより肩幅を適宜調整して挟持部１ａを物干し棒ｕなどに引っ掛けて使用するのである。
【図面の簡単な説明】
【００１４】
【図１】従来、一般的に使用されているハンガーである。
【図２】本考案に係る衣類用ハンガーである。
【図３】ハンガー本体の断面図である。
【図４】ハンガーの伸縮動作を示す状態図である。
【図５】肩受けアームの下辺部に於ける部分破断斜視図である。
【図６】図５に於けるスライド棒体の伸縮動作の部分断面説明図である。
【図７】本考案に係るハンガーの使用状態図である。
【図８】本考案に係るハンガーの使用状態図である。
【符号の説明】
【００１５】
１      衣類用ハンガー
１ａ    挟持部
１ｂ    首部
１ｃ    肩受けアーム
１ｃ’  スライド棒体
ｆ      剛性弾性体
ｇ１，ｇ２、ｇ３  ガイド体
ｈ１，ｈ２，ｈ３  切り欠け溝
ｓ      支軸
Ｔ      衣類
ｕ      物干し棒
【図１】
0003101040.tif 000003
【図２】
0003101040.tif 000004
【図３】
0003101040.tif 000005
【図４】
0003101040.tif 000006
【図５】
0003101040.tif 000007
【図６】
0003101040.tif 000008
【図７】
0003101040.tif 000009
【図８】
0003101040.tif 000010